(57)【要約】【課題】容易に、かつ迅速に、画像を選択できるようにする。【解決手段】撮影された全ての画像が一覧表示領域１７１に一覧表示されるとともに、一覧表示領域１７１に表示されているものの中からカーソル１７２により選択された画像が拡大表示領域１７３に拡大表示される。ユーザの操作によりカーソル１７２が移動されたとき、拡大表示領域１７３に表示される画像が切り換えられ、決定が指示されたときに拡大表示領域１７３に表示されている画像の色や色相などの補正が行われる。補正が行われ、編集対象の画像が選択されたとき、一覧表示領域１７１に表示されている、その編集対象の画像に対しては、選択されたことを表す情報が付加される。本発明は、写真シール自販機に適用できる。【選択図】　　　図１６
2004072404.tif 000002
【特許請求の範囲】
【請求項１】
撮影する撮影手段と、
前記撮影手段により撮影された撮影画像を表示する表示手段と、
前記撮影画像を補正する補正手段と
を備え、
前記表示手段は、前記撮影画像を一覧表示するとともに、その近傍に、一覧表示された前記撮影画像の中から選択された、前記補正手段による補正対象の画像としての補正画像を拡大表示する
ことを特徴とする写真シール自動販売機。
【請求項２】
一覧表示されている前記撮影画像の中からの、前記補正画像の選択を受け付ける受付手段をさらに備え、
前記表示手段は、選択されたことを表す所定の情報を付加して、前記受付手段により前記補正画像として選択が受け付けられた前記撮影画像を表示する
ことを特徴とする請求項１に記載の写真シール自動販売機。
【請求項３】
選択されたことを表す前記情報は、文字または図形である
ことを特徴とする請求項２に記載の写真シール自動販売機。
【請求項４】
前記補正手段は、一覧表示されている複数の前記補正画像のそれぞれを同時に補正する
ことを特徴とする請求項１，２または３に記載の写真シール自動販売機。
【請求項５】
前記表示手段は、前記撮影画像の一覧と、拡大表示されている前記補正画像を、それぞれ異なる表示部に表示する
ことを特徴とする請求項１乃至４のいずれかに記載の写真シール自動販売機。
【請求項６】
撮影する撮影ステップと、
前記撮影ステップの処理により撮影された撮影画像を表示する表示ステップと、
前記撮影画像を補正する補正ステップと
を含み、
前記表示ステップの処理により、前記撮影画像が一覧表示されるとともに、その近傍に、一覧表示された前記撮影画像の中から選択された、前記補正ステップの処理による補正対象の画像としての補正画像が拡大表示される
ことを特徴とする写真シール自動販売機における写真撮影方法。
【請求項７】
撮影する撮影ステップと、
前記撮影ステップの処理により撮影された撮影画像を表示する表示ステップと、
前記撮影画像を補正する補正ステップと
を含み、
前記表示ステップの処理により、前記撮影画像が一覧表示されるとともに、その近傍に、一覧表示された前記撮影画像の中から選択された、前記補正ステップの処理による補正対象の画像としての補正画像が拡大表示される
写真シール自動販売機における写真撮影方法により印刷されることを特徴とする印刷媒体。
【請求項８】
撮影する撮影手段と、
前記撮影手段により撮影された撮影画像を表示する表示手段と、
前記撮影画像を補正する補正手段と
を有し、
前記表示手段が、前記撮影画像を一覧表示するとともに、その近傍に、一覧表示された前記撮影画像の中から選択された、前記補正手段による補正対象の画像としての補正画像を拡大表示する
写真シール自動販売機において使用される印刷媒体ユニットであって、
前記印刷媒体ユニットを識別する識別情報を記憶する識別情報記憶手段を備え、
前記識別情報記憶手段により記憶されている前記識別情報が前記写真シール自動販売機により認証されたとき使用可能とされる
ことを特徴とする印刷媒体ユニット。
【発明の詳細な説明】
【０００１】
【発明の属する技術分野】
本発明は、写真シール自動販売機および方法、印刷媒体、並びに印刷媒体ユニットに関し、特に、容易に、かつ迅速に、画像を選択できるようにする写真シール自動販売機および方法、印刷媒体、並びに印刷媒体ユニットに関する。
【０００２】
【従来の技術】
従来、ユーザの画像を撮影し、これを予め用意されたフレーム画像と合成してシール紙などに印刷して提供する、いわゆる「プリント倶楽部（登録商標）」などの写真シール自動販売機が知られている。
【０００３】
この写真シール自動販売機の中には、撮影後、ユーザが、撮影により得られた画像上に付属のペンで任意の文字や図形などを書き込む（編集する）ことができるようになされているものも存在する。ユーザは、このような編集機能を使用して、シール紙に印刷される画像を、よりオリジナリティのあるものにすることができる。
【０００４】
この画像編集機能を使用するとき、ユーザは、予め、例えば、図１に示される撮影処理に従って、編集対象の画像を選択する。
【０００５】
図１は、従来の写真シール自動販売機としての画像印刷装置の撮影処理を説明するフローチャートである。
【０００６】
ステップＳ１において、画像印刷装置は、ユーザからの選択に基づいて、カメラの高さやズームを調節し、各種の撮影条件を設定する。撮影条件を設定したとき、画像印刷装置は、ステップＳ２において、撮影を開始するか否かを判定し、例えば、ユーザにより撮影を開始することが指示された場合、ステップＳ３に進み、撮影を行う。
【０００７】
ステップＳ４において、画像印刷装置は、設けられている表示部に撮影結果の画像を表示し、撮影した画像を編集対象の画像とするか否かをユーザに選択させる。
【０００８】
図２は、ステップＳ４において表示される画面の例を示す図であり、図２に示されるように、直前に撮影された画像（ステップＳ３の処理により撮影された画像）が画面の中央に表示される。ユーザは、この画面において、画像印刷装置に設けられているボタンを操作し、画面の中央に表示されている画像を、編集対象の画像とするか否かを選択する。
【０００９】
画像印刷装置は、ステップＳ５において、画面に表示した画像を編集対象の画像とすることが選択されたか否かを判定し、編集対象の画像とすることが選択されたと判定した場合、ステップＳ６に進み、その画像を、内蔵する記憶部に保存させる。一方、画像印刷装置は、ステップＳ５において、編集対象の画像とすることが選択されていないと判定した場合、ステップＳ７に進み、直前に撮影した画像を消去する。
【００１０】
ステップＳ６において画像を保存した後、または、ステップＳ７において画像を消去した後、画像印刷装置は、ステップＳ８に進み、撮影を終了するか否かを判定し、例えば、撮影可能回数が残っている（設定されている回数だけ撮影を行っていない）ため、撮影を終了しないと判定した場合、ステップＳ２に戻り、それ以降の処理を繰り返し実行する。
【００１１】
以上のような処理が、設定されている回数だけ繰り返し実行されたとき、ステップＳ８において、撮影を終了すると判定され、撮影処理が終了される。
【００１２】
その後、ユーザは、撮影する毎に表示される選択画面から選択した画像を編集すべく、編集処理を行う。
【００１３】
また、従来の画像印刷装置の中には、図３に示される処理に従って、ユーザに編集対象の画像を選択させるものもある。
【００１４】
図３は、従来の画像印刷装置の他の撮影処理を説明するフローチャートである。
【００１５】
ステップＳ２１乃至Ｓ２３の処理は、図１のステップＳ１乃至Ｓ３の処理と同様の処理であり、画像印刷装置は、ステップＳ２３の処理により撮影した画像を、ステップＳ２４において、内蔵する記憶部に保存する。
【００１６】
画像印刷装置は、ステップＳ２５において、例えば、予め設定されている回数だけ撮影を繰り返したか否かに基づいて、撮影を終了するか否かを判定し、撮影を終了しない、すなわち、撮影可能回数が残っていると判定した場合、ステップＳ２２に戻り、それ以降の処理を繰り返し実行する。
【００１７】
一方、画像印刷装置は、設定されている回数だけ撮影を繰り返したため、ステップＳ２５において、撮影を終了すると判定した場合、ステップＳ２６に進み、繰り返し撮影することにより記憶部に保存されていた画像を一覧表示し、その中から、所定の数の編集対象の画像をユーザに選択させる。
【００１８】
図４は、ステップＳ２６において表示される画面の例を示す図であり、撮影が８回繰り返し行われた場合、その撮影により保存されていた画像が、図４に示されるように、画面の中央より若干上側に一覧表示される。
【００１９】
図４の表示例においては、画面の中央より上側に、撮影された８つの画像が一覧表示されている。また、画像の一覧の下には、編集対象の画像として既に選択された１つの画像が表示されており、ユーザは、続けて、３つの画像を編集対象の画像としてさらに選択することができる。
【００２０】
このような表示に従って４種類の画像が選択されたとき、画像印刷装置は、ステップＳ２７において、編集対象の画像が選択されたと判定し、撮影処理を終了させる。
【００２１】
ユーザは、以上のような撮影処理に従って、撮影した画像の中から好みの画像を選択し、選択した画像を編集することができる。
【００２２】
なお、以上のようにして画像を選択したとき、選択した画像の明度や色相値の調節などの、各種の画像の補正を行うことができるものもある。
【００２３】
撮影した画像の中から所定の画像を選択し、選択した画像を補正するという点においては、例えば、下記の特許文献により開示されているように、サムネイル表示されている画像の中から選択された１つの画像が拡大して表示され、その拡大表示された画像に文字を入力したり、或いは、色を補正することができる技術もある。
【００２４】
【特許文献】
特開平１１−２５９６３０号公報（番号「００１５」および「００１６」、並びに、番号「００２１」の段落の記載）
【００２５】
【発明が解決しようとする課題】
しかしながら、例えば、図２に示される画面において編集対象の画像とするか否かを選択し、画像を補正する場合、直前に撮影した画像が画面の中央に拡大して表示されるため、図４に示される画面から画像を選択し、補正する場合と比較して、表示されている画像の細部をより確認することができるものの、撮影した他の画像と比較することができない。
【００２６】
従って、他の画像と比較することなく画像を選択するため、図２の画面において選択した画像が、必ずしも、撮影した全ての画像の中で最適なものであるとは限らないという課題があった。また、選択した画像の補正（明るさや色の補正）を、図２の画面において続けて行う場合、ユーザは、同様に、補正対象の画像の明るさや色を、他の画像の明るさや色と比較することができない。
【００２７】
反対に、図４に示される画面において編集対象の画像とするか否かを選択する場合、ユーザは、撮影した画像のそれぞれを、明るさや色、或いは写りなどに基づいて比較することができるものの、それぞれの画像が比較的小さく表示されるため、個々の画像の詳細を確認することができないという課題がある。
【００２８】
そこで、先に開示した特許文献に記載されているように、サムネイル表示されているものの中から選択した画像が拡大して表示され、画像の詳細を、他の画像と比較しながら確認できるようにし、その画像を補正することも考えられるが、該特許文献においては、拡大表示されている画像を補正（編集）する場合、画像がサムネイル表示されていた表示領域（画面の下側）に、補正するツール（キーボードなど）の画像が表示されるようになされているため、結果として、補正対象の画像と他の画像を比較しながら、明るさなどを補正することができない。
【００２９】
従って、画像を補正した後、再度、サムネイル表示される画面に表示を戻した場合（画像の補正画面から、サムネイル画像と拡大画像が表示される画面に戻した場合）、それぞれの画像についての補正の度合いにばらつきが生じてしまうことがあるという課題もある。
【００３０】
本発明はこのような状況に鑑みてなされたものであり、容易に、かつ迅速に、画像を選択できるようにするものである。
【００３１】
【課題を解決するための手段】
本発明の写真シール自動販売機は、撮影する撮影手段と、撮影された撮影画像を表示する表示手段と、撮影画像を補正する補正手段とを備えることを特徴とする。このとき、表示手段は、撮影画像を一覧表示するとともに、その近傍に、一覧表示された撮影画像の中から選択された、補正手段による補正対象の画像としての補正画像を拡大表示する。
【００３２】
補正手段は、画像の色（色相）、明るさ（明度）、彩度の他、画像の方向（縦長、横長）、被写体の配置、背景の色などの、画像に含まれる様々な情報に関する補正を、ユーザからの入力に従って行う。
【００３３】
本発明の写真シール自動販売機は、一覧表示されている撮影画像の中からの、補正画像の選択を受け付ける受付手段をさらに備えることを特徴とする。このとき、表示手段は、所定の情報を付加して、受付手段により選択が受け付けられた撮影画像を表示する。
【００３４】
撮影画像に付加される前記情報は、文字または図形であるようにすることができる。撮影画像に付加される所定の画像は、既に選択されたことをユーザに提示できる情報であればどのような形状の画像でもよい。
【００３５】
補正手段は、一覧表示されている複数の補正画像のそれぞれを同時に補正するようにすることができる。このとき、複数の補正画像のうちのいずれかの画像が拡大表示される。
【００３６】
表示手段は、撮影画像の一覧と、拡大表示されている補正画像を、それぞれ異なる表示部に表示するようにすることができる。
【００３７】
本発明の写真シール自動販売機における写真撮影方法は、撮影する撮影ステップと、撮影ステップの処理により撮影された撮影画像を表示する表示ステップと、撮影画像を補正する補正ステップとを含むことを特徴とする。このとき、表示ステップの処理により、撮影画像が一覧表示されるとともに、その近傍に、一覧表示された撮影画像の中から選択された、補正ステップの処理による補正対象の画像としての補正画像が拡大表示される。
【００３８】
本発明の写真シール自動販売機および方法においては、撮影された撮影画像が表示され、補正される。また、このとき、撮影画像が一覧表示されるとともに、その近傍に、一覧表示された撮影画像の中から選択された、補正対象の画像としての補正画像が拡大表示される。
【００３９】
従って、本発明によれば、ユーザは、撮影し、一覧表示されている画像の中から、容易に、かつ迅速に例えば編集または印刷する画像を選択することができる。
【００４０】
本発明の印刷媒体は、撮影する撮影ステップと、撮影ステップの処理により撮影された撮影画像を表示する表示ステップと、撮影画像を補正する補正ステップとを含み、表示ステップの処理により、撮影画像が一覧表示されるとともに、その近傍に、一覧表示された撮影画像の中から選択された、補正ステップの処理による補正対象の画像としての補正画像が拡大表示される写真シール自動販売機における写真撮影方法により印刷されることを特徴とする。
【００４１】
本発明の印刷媒体ユニットは、撮影する撮影手段と、撮影された撮影画像を表示する表示手段と、撮影画像を補正する補正手段とを備えることを特徴とし、表示手段が、撮影画像を一覧表示するとともに、その近傍に、一覧表示された撮影画像の中から選択された、補正手段による補正対象の画像としての補正画像を拡大表示させる写真シール自動販売機において使用される印刷媒体ユニットであって、印刷媒体ユニットを識別する識別情報を記憶する識別情報記憶手段を備え、識別情報が写真シール自動販売機により認証されたとき使用可能とされることを特徴とする。
【００４２】
識別情報記憶手段は、例えば、ＩＣタグ（制御タグ）、ＩＣカード等のメモリにより構成され、識別情報としての固有のＩＤを記憶する。
【００４３】
このように、識別情報が認証されたときにのみ印刷媒体ユニットが使用可能とされることにより、本発明の写真シール自動販売機に対して生産されたユニットのみが使用可能となり、いわゆる純正品以外のものが使用されることを抑制することができる。また、印刷媒体ユニットにバーコードなどが付されている場合、そのバーコードにより、純正品であるか否かを判断させるようにしてもよい。
【００４４】
【発明の実施の形態】
図５は、本発明を適用した写真シール自動販売機としての画像印刷装置１の構成例を示す斜視図である。
【００４５】
画像印刷装置１の垂直な面１Ａには、保持部材１３を介して撮影装置１２が面１Ａから突出した状態で設けられている。撮影装置１２は、面１Ａに垂直方向に配設されているレール１４に従って、所定の範囲内で上下方向に移動可能とされている。また、撮影装置１２は、保持部材１３との接合部を中心として、垂直平面内で上下方向に首振り自在に保持部材１３に取り付けられている。
【００４６】
従って、画像印刷装置１を利用するユーザは、撮影装置１２をレール１４に従って好みの高さに調節し、また、撮影装置１２の正面（ＣＣＤ（Ｃｈａｒｇｅ　Ｃｏｕｐｌｅｄ　Ｄｅｖｉｃｅ）２１および画像表示部２２が設けられている面）を好みの角度に調節し、撮影を行うことができる。
【００４７】
撮影装置１２には、ＣＣＤ２１が設けられ、ＣＣＤ２１の下には画像表示部２２が設けられている。ＣＣＤ２１により被写体の画像が取り込まれ、取り込まれている画像（動画像）がリアルタイムで画像表示部２２に表示される。また、所定の撮影タイミングにおいて、ＣＣＤ２１による撮影が行われ、ユーザ（被写体）の画像が静止画像として画像印刷装置１に保存される。画像表示部２２がＣＣＤ２１の近傍に設けられているため、ユーザは、ＣＣＤ２１に視線を向けた状態で、画像表示部２２に表示される自分自身の画像を確認しながら、撮影を行うことができる。
【００４８】
撮影装置１２（レール１４）の左側にはフラッシュ照射部１５−１が設けられており、また、右側にはフラッシュ照射部１５−２が設けられている。フラッシュ照射部１５−１，１５−２は、撮影装置１２（ＣＣＤ２１）により撮影されるタイミングで、画像印刷装置１の内部に設けられている照明装置から出射されるフラッシュ光を透過し、被写体を照射する。
【００４９】
フラッシュ照射部１５−２の下には、ＬＣＤ（Ｌｉｑｕｉｄ　Ｃｒｙｓｔａｌ　Ｄｉｓｐｌａｙ）やＣＲＴ（Ｃａｔｈｏｄｅ−Ｒａｙ　Ｔｕｄｅ）などにより構成される撮影用モニタ１６が設けられている。撮影用モニタ１６には、撮影処理の進行段階に応じて、撮影方法などを案内する各種のメッセージなどが表示される。また、撮影用モニタ１６には、撮影された画像が表示されるため、ユーザは、表示される撮影画像の中から、編集（落書き）対象の画像を選択することができる。後述するように、ユーザは、撮影を終了した後、画像印刷装置１の裏側に移動し、撮影された画像に対して好みの文字や図形などを入力し、編集を施すことができる。
【００５０】
撮影用モニタ１６の下には、面１Ａから突出した状態で操作部１１が設けられている。操作部１１の上面１１Ａは若干斜め上方を向いた状態で設けられており、そこに操作パネル１７が設けられている。ユーザは、操作パネル１７に設けられている各種のボタンにより、撮影処理を進行する。
【００５１】
操作パネル１７には、例えば、撮影用モニタ１６に表示される各種の選択に対して、決定するときに操作される「○ボタン」、決定したものをキャンセルするときに操作される「×ボタン」、撮影用モニタ１６に表示されるカーソルなどを上下左右に移動するときに操作される「矢印ボタン（上下左右ボタン）」などが配置される。また、そのほかにも、撮影を開始するとき操作される「撮影開始ボタン」なども適宜配置される。操作部１１には、撮影用モニタ１６に直接押し当てることで各種の選択を行うための入力ペンなども適宜用意される。
【００５２】
面１Ａの左下には、硬貨投入口１８が設けられている。ユーザは、画像印刷装置１を利用して撮影するとき、所定の代金を硬貨投入口１８に投入する。
【００５３】
画像印刷装置１の左側面１Ｂの下方には、シール取り出し口３１が設けられている。撮影され、編集等が施された画像が所定の数だけ、所定の大きさでシール紙に印刷され、得られたシール紙がシール取り出し口３１から排出される。
【００５４】
図６は、画像印刷装置１の面１Ａの反対側に相当する、面１Ｃ側の構成例を示す斜視図である。なお、以下において、適宜、面１Ａが設けられている面を画像印刷装置１の正面として説明し、面１Ａの反対側に相当する、面１Ｃが設けられて面を画像印刷装置１の背面として説明する。
【００５５】
画像印刷装置１の面１Ｃには、編集用モニタ４１−１および４１−２が水平方向に並置されている。編集用モニタ４１−１の下には収納部４２−１が設けられ、そこに、編集用モニタ４１−１に直接押し当てることで画像の編集などを行うための入力ペン４３−１が収納される。同様に、編集用モニタ４１−２の下には収納部４２−２が設けられ、そこに、編集用モニタ４１−２に直接押し当てることで画像の編集などを行うための入力ペン４３−２が収納される。
【００５６】
撮影装置１２により撮影され、編集対象の画像として選択された画像は、ユーザが撮影処理を終了した後、編集用モニタ４１−１および４１−２にそれぞれ表示される。編集用モニタ４１−１および４１−２には、タッチパネルが積層されており、ユーザは、表示されている画像に対し、任意の文字や図形などを、入力ペン４３−１および４３−２を利用して書き込む（入力する）ことができる。
【００５７】
編集用モニタ４１−１および４１−２には、編集対象の画像とともに、様々な編集ツールを選択するためのボタンが表示される。そして、そのボタンが操作され、画像の編集が行われたとき、編集用モニタ４１−１および４１−２には、入力に応じて生成された編集済みの画像が表示される。
【００５８】
入力ペン４３−１および４３−２は、編集用モニタ４１−１および４１−２に積層されるタッチパネルの位置検出方式（例えば、抵抗膜式、超音波式など）に応じて構成される。
【００５９】
以上のような外観構成を有する画像印刷装置１において、撮影した画像の中から、編集対象の画像を選択するとき、例えば、その選択画面には、撮影された複数の画像が一覧表示されるとともに、カーソルなどにより選択されている１つの画像が、一覧の近傍に拡大して表示される。
【００６０】
拡大表示された画像を確認することで、ユーザは、画像の細部にわたって、写りや明るさ、或いは色などを確認することができ、編集対象とする最適な画像を、一覧表示されている画像の中から迅速に選択することができる。
【００６１】
また、ユーザは、編集対象とする画像を選択することに併せて、画像の明るさや色を補正することができ、画像を補正する場合においても、補正対象の画像が、一覧表示されている他の画像（例えば、明るさなどを既に補正した画像）と比較できるように拡大表示される。
【００６２】
画像の表示を含め、画像印刷装置１の処理の詳細については、フローチャートを参照して後に詳述する。
【００６３】
図７は、画像印刷装置１の配置の例を示す図である。
【００６４】
画像印刷装置１の正面（面１Ａ）に対向する位置には、所定距離だけ離間して背景パネル６１が設置され、ユーザは、画像印刷装置１と背景パネル６１の間の撮影空間６２において撮影を行う。なお、撮影空間６２には、画像印刷装置１の上面と背景パネル６１により支持される天井部材６３、および、撮影空間６２の内部が外側から見えないように、カーテン６４−１と側面パネル６５−１が設けられている。
【００６５】
撮影を終了した後に移動し、画像の編集を行う空間として、面１Ｃに臨む位置に編集空間７３が設けられている。編集空間７３には、その内部が外部から覗かれるのを防止すべく、カーテンフレーム７１にカーテン７２−１が取り付けられている。カーテン７２−１は、面１Ｂと略同一平面上に設けられ、カーテン７２−２は、面１Ｃに対向して、所定の距離だけ離間して設けられる。なお、この例においては、カーテンフレーム７１は、天井部材４３とほぼ同一平面上に設けられている。
【００６６】
図８は、画像印刷装置１の配置の例を、その上方から示す図である。
【００６７】
図８に示されるように、画像印刷装置１の右側面１Ｄ側にも、面１Ｂ側と同様に、撮影空間６２の内部が外側から覗かれることを防止すべく、カーテン６４−２と側面パネル６５−２が設けられている。撮影空間６２の内部（背景パネル６１、天井部材６３、側面パネル６５−１，６５−２等の内側）は、撮影装置１２により撮影された画像から、ユーザの画像のみをいわゆるクロマキ処理により抽出できるように、例えば、白色や青色などの単一色の面とされる。
【００６８】
図８を参照し、撮影を開始してからシール紙を受け取るまでのユーザの移動について説明する。
【００６９】
ユーザは、画像印刷装置１を利用するとき、白抜き矢印Ａ１で示されるように撮影空間６２に入場し、撮影処理を行う。従って、撮影空間６２が使用されているとき、画像印刷装置１を利用することを所望するユーザは、例えば、側面パネル６１の前方の順番待ち空間７４において、撮影空間６２が空くのを待機することになる。
【００７０】
所定の数の画像を編集対象の画像として選択し、撮影を終えたとき、ユーザは、例えば、白抜き矢印Ａ２で示されるようにして撮影空間６２から退場し、白抜き矢印Ａ３で示されるようにして画像印刷装置１の背面側に設けられる編集空間７３に移動する。
【００７１】
このとき、順番待ち空間７４において順番待ちをしていたユーザ（撮影空間６２が空くのを待機していたユーザ）は、撮影空間６２を先に使用していたユーザの組が編集空間７３に移動することに応じて、撮影空間６２に入場する。
【００７２】
上述したように、編集空間７３から確認できる編集用モニタ４１−１および４１−２には、撮影空間６２において撮影し、選択した画像が表示されるため、ユーザは、それに対して編集を行う。ユーザは、編集を終えたとき、次に、画像印刷装置１の面１Ｂに臨む場所である印刷待ち空間７５に白抜き矢印Ａ４で示されるようにして移動し、編集した画像がシール紙にプリントされ、排出されるまで待機する。
【００７３】
そして、シール取り出し口３１にシール紙が排出されたとき、ユーザは、それを受け取り、画像印刷装置１の利用を終える。これらの移動の案内は、撮影用モニタ１６、編集用モニタ４１−１および４１−２、または図示せぬスピーカなどにより行われる。
【００７４】
このように、撮影を行う空間、編集を行う空間、印刷が終了するのを待機する空間を、画像印刷装置１の異なる面の前方にそれぞれ設けることにより、撮影処理、編集処理、印刷処理を併行して実行させることができ、これらの処理を１つの空間で実行させる場合に較べて、画像印刷装置１を利用する顧客の回転率を向上させることができる。また、撮影処理に要する時間、編集処理に要する時間等をそれぞれのユーザの組に対して長く確保することができる。
【００７５】
図９は、画像印刷装置１の内部の構成例を示すブロック図である。上述したものと同様の構成について、その詳細な説明は適宜省略する。
【００７６】
制御装置９１は、パーソナルコンピュータなどにより構成され、画像印刷装置１の全体の動作を制御する。具体的には、制御装置９１に設けられているＣＰＵ（Ｃｅｎｔｒａｌ　Ｐｒｏｃｅｓｓｉｎｇ　Ｕｎｉｔ）１３１により、ＲＯＭ（Ｒｅａｄ　Ｏｎｌｙ　Ｍｅｍｏｒｙ）１３２やハードディスクなどにより構成される記憶部１３６（いずれも図１０）に記憶されているプログラムに基づく処理が実行される。
【００７７】
硬貨処理部９２は、ユーザにより所定の代金が硬貨投入口１８に投入されたとき、それを検出し、制御装置９１に通知する。照明制御部９３は、撮影装置１２により被写体が撮影されるタイミングに併せて、制御装置９１からの指示に基づいてフラッシュ光を出射する。出射されたフラッシュ光は、図５のフラッシュ照射部１５−１および１５−２を介して被写体（ユーザ）を照射する。
【００７８】
画像印刷装置１の面１Ｃに設けられている編集用モニタ４１−１にはタッチパネル９４−１が、編集用モニタ４１−２にはタッチパネル９４−２がそれぞれ積層されている。タッチパネル９４−１および９４−２は、入力ペン４３−１および４３−２により入力されたユーザからの指示を制御装置９１に出力する。
【００７９】
プリンタユニット９５は、プリンタ部１１１と制御タグリーダライタ１１２により構成され、プリンタユニット９５に装着されるシール紙ユニット９６は、シール紙１２１と、個々のシール紙ユニット９６を識別する識別情報等を管理する制御タグ１２２により構成される。
【００８０】
プリンタ部１１１は、編集処理等が施された画像データが制御装置９１から供給されたとき、供給された画像データにより表される画像を、ユーザにより選択された画像のサイズおよび分割数に従って、シール紙１２１に印刷し、シール紙１２１をシール取り出し口３１に排出する。
【００８１】
制御タグリーダライタ１１２は、制御タグ１２２に記憶されている識別情報を接触または非接触により読み出し、制御装置９１に出力する。制御装置９１は、制御タグリーダライタ１１２から供給された識別情報に基づいて、装着されているシール紙ユニット９６が、画像印刷装置１において利用可能なユニットであるか否かを判定し、利用可能なユニットであると判定したときにのみ、プリンタ部１１１を動作可能にする。すなわち、制御装置９１により、画像印刷装置１において利用可能とされるシール紙ユニットの識別情報が管理されている。
【００８２】
これにより、画像印刷装置１に対応していない（純正のものでない）シール紙が利用されるのを抑制することができる。また、制御タグ１２２により、シール紙１２１の残量等も管理される。なお、シール紙ユニット９６が純正のものであるか否かを、シール紙ユニット９６にプリントされているバーコードなどにより確認させるようにしてもよい。
【００８３】
図１０は、図９の制御装置９１の詳細な構成例を示すブロック図である。
【００８４】
ＣＰＵ１３１は、ＲＯＭ１３２に記憶されているプログラム、または、記憶部１３６からＲＡＭ（Ｒａｎｄｏｍ　Ａｃｃｅｓｓ　Ｍｅｍｏｒｙ）１３３にロードされたプログラムに従って各種の処理を実行する。ＲＡＭ１３３にはまた、ＣＰＵ１３１が各種の処理を実行する上において必要なデータなどが適宜記憶される。
【００８５】
ＣＰＵ１３１、ＲＯＭ１３２、およびＲＡＭ１３３は、バス１３４を介して相互に接続されている。バス１３４にはまた、入出力インタフェース１３５も接続されている。
【００８６】
入出力インタフェース１３５には、図９に示される、撮影装置１２、撮影用モニタ１６、操作パネル１７、編集用モニタ４１−１および４１−２（編集用パネル４１）、硬貨処理部９２、照明制御部９３、タッチパネル９４−１および９４−２（タッチパネル９４）、およびプリンタユニット９５が接続されている。
【００８７】
記憶部１３６は、ＣＰＵ１３１により実行されるプログラムの他、撮影装置１２により取り込まれている被写体の画像と合成する背景画像のデータや、撮影して得られた画像のデータなどを記憶する。後述するように、撮影処理においては、所定の回数だけ撮影を行うことができるようになされており、記憶部１３６には、撮影回数に対応する数の画像のデータが記憶される。
【００８８】
入出力インタフェース１３５にはまた、必要に応じてドライブ１３７が接続され、磁気ディスク１５１、光ディスク１５２、光磁気ディスク１５３、或いは半導体メモリ１５４などが適宜装着され、それらから読み出されたコンピュータプログラムや背景画像データが必要に応じて記憶部１３６に保存される。
【００８９】
次に、画像印刷装置１の処理について、フローチャートを参照して説明する。
【００９０】
始めに、図１１のフローチャートを参照して、画像印刷装置１を利用する顧客（ユーザ）に応対する、画像印刷装置１の全体の処理について説明する。
【００９１】
ステップＳ５１において、制御装置９１のＣＰＵ１３１は、硬貨処理部９２からの出力に基づいて、代金が投入されたか否か、すなわち、撮影を開始するユーザがいるか否かを判定し、代金が投入されたと判定するまで待機する。
【００９２】
ＣＰＵ１３１は、ステップＳ５１において、代金が投入されたと判定した場合、ステップＳ５２に進み、撮影空間６２における撮影処理を実行する。すなわち、予め設定されている回数だけ撮影が繰り返し行われ、得られた画像の中から、編集する画像が選択されたとき、撮影処理が終了される。ステップＳ５２において実行される撮影処理については、図１２および図１３のフローチャートを参照して後に詳述する。
【００９３】
ステップＳ５３において、ＣＰＵ１３１は、ユーザからの入力に応じて、撮影した画像を編集する編集処理を実行する。ステップＳ５３において実行される編集処理については、図２２のフローチャートを参照して後に詳述する。
【００９４】
ＣＰＵ１３１は、ステップＳ５４において、編集処理により編集され、生成された編集画像の画像データをプリンタユニット９５のプリンタ部１１１に転送し、印刷させる。そして、印刷処理が終了されたとき、ステップＳ５１に戻り、以上の処理が繰り返し実行される。
【００９５】
なお、図１１に示される処理は、記載された順序に従って時系列的に行われるだけでなく、そのときの画像印刷装置１の利用状況に応じて並列的にも行われる。例えば、第１のユーザが撮影空間６２において撮影を終了させ、編集空間７３に移動した直後に、第２のユーザが撮影空間６２において撮影を開始した場合、図１１のステップＳ５２の撮影処理（第２のユーザの処理）とステップＳ５３の編集処理（第１のユーザの処理）が並列して行われることになる。同様に、撮影処理、編集処理、および、ステップＳ５４における印刷処理のそれぞれが状況に応じて並列して行われる。
【００９６】
次に、図１２のフローチャートを参照して、図１１のステップＳ５２において実行される撮影処理の詳細について説明する。
【００９７】
ステップＳ６１において、ＣＰＵ１３１は、ユーザからの入力に基づいて、例えば、撮影装置１２の高さ、撮影アングルなどの撮影条件を設定する。具体的には、撮影用モニタ１６には、例えば、図１４に示されるような説明画面が表示され、ユーザは、表示される画面に従って、撮影条件（撮影環境）を選択する。
【００９８】
図１４に示される画面の表示例においては、撮影処理の残りの制限時間としての「２０７秒」が制限時間表示部１６１に表示されている。画面のほぼ中央には、「どんなアングルで撮る？」のメッセージが表示されており、その下に、撮影アングルの例が３種類（図の左から、上半身を中心に撮影するアングル、顔を中心に撮影するアングル、全身を撮影するアングル）表示されている。ユーザは、説明表示部１６２に表示されている説明に従って、操作パネル１７のボタンを操作し、撮影アングルを選択する。
【００９９】
このような各種の撮影環境を設定する画面が順次表示されるため、ＣＰＵ１３１は、表示される画面に対するユーザの入力に従って撮影装置１２などを制御し、撮影条件を設定する。
【０１００】
ステップＳ６２において、ＣＰＵ１３１は、撮影を開始するタイミングになったか否かを判定し、撮影を開始するタイミングになったと判定するまで待機する。例えば、撮影条件の設定が終了され、操作パネル１７に対する入力により、撮影を開始することがユーザから指示されたとき、ステップＳ６２において、ＣＰＵ１３１は、撮影を開始するタイミングになったと判定し、ステップＳ６３に進む。
【０１０１】
ステップＳ６３において、ＣＰＵ１３１は、撮影装置１２を制御し、設定されている撮影条件に従って撮影を行う。例えば、ＣＰＵ１３１は、撮影までのカウントダウンを撮影用モニタ１６に表示し、撮影までの時間が「０」になったとき（カウントダウンが「０」になったとき）、照明制御部９３を制御し、フラッシュを被写体に照射させるとともに、ＣＣＤ２１により撮影を行う（シャッターを閉じる）。
【０１０２】
撮影が行われる直前、撮影用モニタ１６には、例えば、図１５に示されるような画面が表示される。図１５の例においては、画面の上部と下部に「写真を撮るよ！」と「カメラのレンズを見てね！」のメッセージがそれぞれ表示され、画面の中央に比較的大きな「ｓｈｏｔ」の画像が表示されている。
【０１０３】
ＣＰＵ１３１は、ステップＳ６４において、撮影により得られた画像をＲＡＭ１３３または記憶部１３６に保存する。
【０１０４】
ステップＳ６５において、ＣＰＵ１３１は、撮影を終了するか否かを判定し、撮影を終了すると判定するまで、ステップＳ６２に戻り、撮影を繰り返す。例えば、画像印刷装置１には、撮影可能回数が所定の数だけ予め設定されており、残りの撮影可能回数が「０」になったとき撮影が終了される。また、上述した制限時間の残り時間がなくなったとき、強制的に撮影が終了される。
【０１０５】
ＣＰＵ１３１は、ステップＳ６５において、撮影を終了すると判定した場合、ステップＳ６６に進み、撮影用モニタ１６の表示を制御し、撮影結果の画像（撮影画像）を一覧表示するとともに、その一覧の近傍に、一覧表示されている画像の中から選択されている画像を拡大表示する。
【０１０６】
図１６は、ステップＳ６６において撮影用モニタ１６に表示される画面の例を示す図である。
【０１０７】
ユーザは、図１６に示される画面において、一覧表示される画像の中から、好みのものを拡大して表示させ、拡大表示された画像を、編集対象の画像とするか否かを選択することができる。編集対象の画像として所定の画像を選択したとき、ユーザは、続けて、選択した画像の明るさや色を調整することができる。
【０１０８】
具体的には、例えば、画面の左側に設けられる一覧表示領域１７１には、撮影により保存されていた画像が一覧表示され、画面の右側に設けられる拡大表示領域１７３には、一覧表示されているものの中からカーソル１７２により選択されている画像が拡大表示される。
【０１０９】
図１６の例においては、一覧表示領域１７１に表示されているもののうち、左上に表示されている画像がカーソル１７２により選択されており、その画像が、拡大表示領域１７３に拡大表示されている。
【０１１０】
ユーザは、説明表示部１７５に表示されている説明に従って操作パネル１７を操作することにより、カーソル１７２を上下左右に移動させ、拡大表示領域１７３に表示される画像を切り換えることができる。また、説明表示部１７５には、決定ボタン（丸型のボタン）を操作することにより、カーソル１７２により選択されている画像（拡大表示領域１７３に拡大表示されている画像）を、明るさや色を調節する画像（補正画像）として選択できることが表されている。
【０１１１】
ユーザは、画像の選択と、選択した画像の明るさを調節する操作を所定の回数だけ繰り返した後、一覧表示領域１７１の下に表示されている落書きボタン１７４を押下し、画像の落書きを行う。
【０１１２】
なお、ユーザが画像の補正を行い、編集する画像を選択したとき、その画像には、編集する画像として選択されたことを表す情報（以下、適宜、選択済み情報と称する）が付加される。図１６の例においては、一覧表示領域１７１の左上に表示されている画像、その画像の右下に表示されている画像、および、一覧表示領域１７１の右下に表示されている画像のそれぞれに選択済み情報が付加されている。
【０１１３】
また、画像の色や明るさが既に調整された画像は、調整された色や明るさで、一覧表示領域１７１に表示される。
【０１１４】
図１７Ａは、図１６の一覧表示領域１７１の左上に表示されている画像の詳細を示す図であり、図に示されるように、例えば、選択済み情報として、被写体の画像の下に設けられる表示部１９１に「シールにする」のテキスト（文字）が表示される。
【０１１５】
なお、選択済み情報は、チェックされたことを表す、図１７Ｂに示されるような画像１９２として付加されるようにしたもよいし、星形などの所定の図形の画像が付加されるようにしてもよい。また、図１７Ｃに示されるように、選択済み情報として所定の色が画像全体に付加されるようにしてもよい。
【０１１６】
このような選択済み情報が、一覧表示領域１７１に表示されているものの中から編集対象の画像として選択された画像に付加されるため、ユーザは、既に選択した画像を直感的に認識することができる。
【０１１７】
図１２の説明に戻り、ステップＳ６７において、ＣＰＵ１３１は、操作パネル１７からの出力に基づいて、図１６の落書きボタン１７４が操作されたか否かを判定し、落書きボタン１７４が操作されていないと判定した場合、ステップＳ６８に進む。落書きボタン１７４は、例えば、所定の数の編集対象の画像が選択されたとき、操作可能とされる。
【０１１８】
ステップＳ６８において、ＣＰＵ１３１は、操作パネル１７からの出力に基づいて、補正する画像が選択されたか否を判定し、選択されていないと判定した場合、ステップＳ６９に進み、一覧表示領域１７１に表示されている画像の上でカーソル１７２が移動されたか否かを判定する。
【０１１９】
ステップＳ６９において、カーソル１７２が移動されていないと判定された場合、処理はステップＳ６６に戻り、それ以降の処理が実行される。
【０１２０】
一方、ステップＳ６９において、ＣＰＵ１３１は、カーソル１７２が移動された、すなわち、拡大表示領域１７３に表示させる画像を切り換えることが指示されたと判定した場合、ステップＳ７０に進み、拡大表示領域１７３に表示される画像を、カーソル１７２により新たに選択されるものとなった画像に切り換える。
【０１２１】
従って、図１６に示される状態から、カーソル１７２が１画像分だけ右方向に移動された場合、拡大表示領域１７３に表示される画像は、一覧表示領域１７２の左上に表示されているものから、その右側に表示されているものに切り換えられる。
【０１２２】
ステップＳ７０において、拡大表示領域１７３に表示される画像が切り換えられた後、処理はステップＳ６６に戻り、それ以降の処理が実行される。
【０１２３】
一方、ステップＳ６８において、操作パネル１７の決定ボタンが操作され、補正する画像が選択されたと判定された場合、ステップＳ７１に進み、ＣＰＵ１３１は、一覧表示領域１７１に表示されている、その選択された画像に対して、図１７Ａ乃至図１７Ｃに示されるような選択済み情報を付加する。
【０１２４】
ステップＳ７２において、ＣＰＵ１３１は、色相の調整画面（色相値の選択画面）を撮影用モニタ１６に表示させる。すなわち、撮影用モニタ１６の表示が、一覧表示領域１７１と拡大表示領域１７３が主に表示される図１６に示されるような画面から、色相値の調整画面に切り換えられる。
【０１２５】
例えば、画面の表示を切り換えることなく、図１６に示される画面において、拡大表示されている画像の色相値を調整させるようにすることもできるが、このように、色相値を選択するための画面を別に表示させることにより、次に行う操作の内容を、迅速に、かつ直感的にユーザに確認させることができる。
【０１２６】
図１８は、ステップＳ７２において表示される選択画面の例を示す図である。
【０１２７】
図１８に示される選択画面の例においては、画面の上部に「自分の肌色を選んでね！」のメッセージが表示され、撮影した画像に含まれる肌色領域に設定する色相値を選択できるようになされている。
【０１２８】
具体的には、５種類の色相値の中から選択可能とされており、ユーザは、「ダークオークル」、「ベージュオークルＮｏ　１」、「ベージュオークルＮｏ　２」、「オークルＮｏ　１」、「オークルＮｏ　２」の名称により指定される色相値の中から、補正する画像に含まれる顔や手などの肌色領域に設定する色相値をカーソル２０１により選択する。
【０１２９】
図１８の選択画面には、色相値を決定するとき操作される決定ボタン２０３（ＯＫボタン）が表示されており、これが操作されたときにカーソル２０１により選択されている色相値（肌色領域に設定する色）が決定され、画像に含まれるユーザの肌色領域が補正される。
【０１３０】
ステップＳ７３において、ＣＰＵ１３１は、ユーザにより色相値が選択されたか否かを判定し、選択されたと判定するまでステップＳ７２に戻り、選択画面の表示を続行する。
【０１３１】
一方、ＣＰＵ１３１は、ステップＳ７３において、色相値が選択されたと判定した場合、ステップＳ７４に進み、選択された色相値に基づいて、画像に含まれるユーザの肌色領域の色を補正する。
【０１３２】
例えば、ＣＰＵ１３１は、補正対象の画像の各画素値を参照して、所定の範囲内の肌色の値が設定されている画素を抽出し、抽出した画素の色相値を、選択された色相値に基づいて補正する。すなわち、被写体の顔や手などの肌色領域が、選択された肌色により補正される。
【０１３３】
色相値を補正した後、ＣＰＵ１３１は、ステップＳ７５に進み、次に、明るさ（明度）の選択画面を撮影用モニタ１６に表示させる。
【０１３４】
図１９は、ステップＳ７５において表示される、補正対象の画像に含まれる肌色領域の明るさを選択する選択画面の例を示す図である。
【０１３５】
図１９の表示例においては、画面の上方に「明るさを調整してね！」のメッセージが表示されており、ユーザは、その右側の制限時間表示部２１４に表示されている「６０秒」以内で、画面に表示されている画像の明るさを調節することができる。
【０１３６】
また、明るさの調整画面には、編集する画像として既に選択された画像（一覧表示領域１７１において選択済み情報が付加されている画像）が表示されるとともに、直前に選択された、明るさの調整がまだ行われていない画像が拡大表示される。図１９の表示例においては、４種類の画像Ｐ１乃至Ｐ４が既に選択され、その中の左から２番目に表示されている画像Ｐ２が、直前に選択された画像とされ、拡大表示されている。
【０１３７】
拡大表示されている画像Ｐ２は、カーソル２１１により選択されている状態とされ、ユーザは、画面の下に設けられている説明表示部２１３の表示に従って、このカーソル２１１を移動させることで、直前に選択した画像Ｐ２だけでなく、明るさの選択済みの他の画像（画像Ｐ１，Ｐ３，Ｐ４）をも拡大表示させることができる。
【０１３８】
例えば、ユーザは、操作パネル１７の上下ボタンを操作してカーソル２１１を移動させ、カーソル２１１により選択される画像を切り換える（拡大表示される画像を切り換える）とともに、左右ボタンを操作して明るさ調整バー２１２を左右に移動させ（スライドさせ）、画像に含まれる肌色領域の明るさを調整する。
【０１３９】
図１９の例においては、明るさ調整バー２１２を左にスライドさせるほど、画像の肌色領域の明るさを濃いものに設定することができ、反対に、明るさ調整バー２１２を右にスライドさせるほど、画像の肌色領域の明るさを明るいものに設定することができる。
【０１４０】
また、図１９の例においては、明るさ調整バー２１２を移動させることで、画像Ｐ１乃至Ｐ４の全ての明るさを同時に調整することができ、それぞれの画像に対して、明るさ調整バー２１２の画面上における位置に応じた明るさが設定される。
【０１４１】
例えば、編集対象の画像として４つの画像が選択可能とされている場合、それぞれの画像に対して、図２０に示される矢印Ａ１乃至Ａ４により指定される、明るさ調整バー２１２の位置に対応する明るさが設定される。
【０１４２】
例えば、矢印Ａ２により指定される位置の明るさが、カーソル２１１により選択されている画像（図１９の例においては、画像Ｐ２）に対して設定され、矢印Ａ１により指定される位置の明るさが、カーソル２１１により選択されている画像を除いた画像のうち、最も左側に表示されている画像（図１９の例においては、画像Ｐ１）に対して設定される。また、矢印Ａ３により指定される位置の明るさが、カーソル２１１により選択されている画像を除いた画像のうち、左から２番目に表示されている画像（図１９の例においては、画像Ｐ３）に対して設定され、矢印Ａ４により指定される位置の明るさが、カーソル２１１により選択されている画像を除いた画像のうち、最も右側に表示されている画像（図１９の例においては、画像Ｐ４）に対して設定される。
【０１４３】
すなわち、ユーザは、明るさ調整バー２１２を移動させることで、４種類の異なる明るさを、画像Ｐ１乃至Ｐ４のそれぞれの明るさとして指定することができる。
【０１４４】
なお、図２０の白抜き矢印は、図１９の画面上において、明るさ調整バー２１２の全体が左右に移動されることを表している。
【０１４５】
以上のように、明るさ調整バー２１２を移動させることで、ユーザは、表示されている全ての画像の明るさを調整することができる。また、明るさを調整する全ての画像が１つの画面に一覧表示されているため、ユーザは、全ての画像を比較しながら、画像の明るさを調整することができる。さらに、ユーザは、カーソル２１１を移動させることで、１つの画像を拡大表示させることができるため、画像の細部を確認しながら、明るさの調整を行うことができる。
【０１４６】
当然、明るさ調整バー２１２が移動されたとき、全ての画像の明るさが同時に調整されるのではなく、それぞれの画像毎に個々に調整されるようにしてもよい。
【０１４７】
なお、明るさの調整画面として、図１９に示される画面に替えて、図２１に示される画面が表示されるようにしてもよい。
【０１４８】
この表示例においては、「明るさを選んでね！」のメッセージの下に編集対象の画像として選択された画像Ｐ１乃至Ｐ４が一覧表示されており、画面のほぼ中央に、画像Ｐ１乃至Ｐ４の中からカーソル２１１により選択されている画像Ｐ２が拡大表示されている。
【０１４９】
また、図２１に示される表示例においては、操作パネル１７の左右ボタンのみでカーソル２１１の移動（拡大表示させる画像の選択）と、明るさの調整を行うことができるようになされている。
【０１５０】
例えば、左ボタンを操作されることに応じて明るさ調整バー２１２が画面上で左方向に移動され、明るさ調整バー２１２が画面の左端に移動されたにも関わらず、さらに続けて左ボタンが操作されたとき、その操作に従って、明るさ調整バー２１２の代わりにカーソル２１１が左方向に移動される。反対に、右ボタンを操作されることに応じて明るさ調整バー２１２が画面上で右方向に移動され、明るさ調整バー２１２が画面の右端に移動されたにも関わらず、さらに続けて右ボタンが操作されたとき、その操作に従って、明るさ調整バー２１２の代わりにカーソル２１１が右方向に移動される。
【０１５１】
このような操作によっても、ユーザは、拡大表示される画像を確認し、一覧表示されている他の画像と比較しながら、画像の明るさを調整することができる。
【０１５２】
図１３の説明に戻り、ステップＳ７６において、ＣＰＵ１３１は、カーソル２１１が移動されたか否か、すなわち、拡大表示する画像の切り替えが指示されたか否かを判定し、カーソル２１１が移動されたと判定した場合、ステップＳ７７に進み、拡大表示する画像を切り換え、カーソル２１１が移動されることにより、新たに選択されることになった画像を拡大表示させる。
【０１５３】
一方、ステップＳ７６において、カーソル２１１が移動されていないと判定した場合、ステップＳ７７の処理はスキップされる。
【０１５４】
ＣＰＵ１３１は、ステップＳ７８において、例えば、図１９の明るさ調整バー２１２が移動されたか否かを判定し、移動されたと判定した場合、ステップＳ７９に進み、上述したようにして、明るさ調整バー２１２のそれぞれの位置により指定される明るさに基づいて、画像Ｐ１乃至Ｐ４のそれぞれの明るさを補正する。
【０１５５】
ステップＳ７８において、明るさ調整バー２１２が移動されていないと判定された場合、ステップＳ７９の処理はスキップされる。
【０１５６】
ステップＳ８０において、ＣＰＵ１３１は、操作パネル１７からの出力に基づいて、明るさが決定されたか否かを判定し、明るさが決定されていないと判定した場合、ステップＳ７５に戻り、それ以降の処理を繰り返し実行する。
【０１５７】
一方、ＣＰＵ１３１は、操作パネル１７の決定ボタン（丸形のボタン）が操作され、ステップＳ８０において、明るさが決定されたと判定した場合、ステップＳ６６（図１２）に戻り、一覧表示領域１７１と拡大表示領域１７３が主に表示される、図１６に示される画面を再度表示し、それ以降の処理を繰り返し実行する。
【０１５８】
その後、図１６の落書きボタン１７４が操作され、ステップＳ６７において、落書きボタン１７４が操作されたと判定した場合、ＣＰＵ１３１は、撮影処理を終了させる。撮影処理が終了したとき、撮影用モニタ１６には、例えば、「機械の裏側に移動してね」などのメッセージが表示され、ユーザに対して、編集空間７３に移動することが案内される。この案内に従って、撮影処理を終えたユーザは、撮影空間６２から編集空間７３に移動する。
【０１５９】
次に、図２２のフローチャートを参照して、図１１のステップＳ５３において実行される編集処理の詳細について説明する。
【０１６０】
ステップＳ１０１において、ＣＰＵ１３１は、編集対象の画像として選択された画像データを読み出し、読み出したデータに基づいて、画像の編集画面を編集用モニタ４１−１および４１−２に表示させる。
【０１６１】
図２３は、編集画面の表示例を示す図である。
【０１６２】
上述したように、編集用モニタ４１−１および４１−２は、画像印刷装置１の面１Ｃに水平方向に並置して設けられており、図２３に示されるような編集画面がそれぞれのモニタに表示される。
【０１６３】
例えば、編集用モニタ４１−１には、編集対象の画像が拡大して表示される編集対象画像表示部２３１が表示され、ユーザは、画像選択部２３２に表示されている画像の中から、編集対象画像表示部２３１に表示させる画像を入力ペン４３−１により選択することができる。画像選択部２３２には、撮影処理において、編集対象の画像として選択された画像が一覧表示されている。
【０１６４】
編集対象画像表示部２３１の近傍には、編集ツールを選択するとき操作される各種のボタンが表示される。
【０１６５】
編集対象画像表示部２３１の近傍には、例えば、編集対象画像に線や文字などを入力するための「ペンツール」を選択するとき操作されるペンメニュー２３３、編集対象画像に所定のスタンプ画像を配置する「スタンプツール」を選択するとき操作されるスタンプメニュー２３４、「ペンツール」により入力される文字などの色を選択するとき操作される色選択メニュー２３５が表示される。
【０１６６】
また、１度入力した落書き等を消すための「消しゴムツール」を選択するとき操作される消しゴムメニュー２３６、被写体の背景部分に好みのテクスチャを配置する「背景ブラシツール」と、その範囲を選択するとき操作される範囲調整メニュー２３７、および、「ペンツール」の太さを選択するとき操作される太さメニュー２３８が表示される。
【０１６７】
また、編集画面には、編集対象画像表示部２３１に表示されている画像の表示方向（縦方向、横方向）を切り換えるとき操作される切り換えボタン２６１、直前に入力した編集を取り消すとき操作されるやり直しボタン２６２、入力した編集を全て取り消すとき操作されるやり直しボタン２６３が表示される。さらに、編集用モニタ４１−１の右下には、編集処理を終了し、印刷を開始するとき操作される終了ボタン２６４が表示される。
【０１６８】
図２２の説明に戻り、編集画面において選択されたツールに基づく編集がタッチパネル９４−１，９４−２を介して入力されたとき、ＣＰＵ１３１は、ステップＳ１０２において、ユーザからの入力に応じて、編集対象として選択されている画像を編集する。例えば、所定のペンツールがペンメニュー２３３から選択され、文字が編集対象画像に入力されたとき、ＣＰＵ１３１は、入力された文字に対応する画像を編集対象画像に重畳して表示させる。
【０１６９】
ＣＰＵ１３１は、ステップＳ１０３において、編集処理を終了するか否かを判定し、例えば、終了ボタン２６４が操作されていないため、編集処理を終了しないと判定した場合、ステップＳ１０２に戻り、以上の処理を繰り返し実行する。一方、終了ボタン２６４が操作された場合、または、予め設定されている制限時間が終了した場合、ＣＰＵ１３１は、ステップＳ１０３において、編集処理を終了すると判定し、処理を終了させる。
【０１７０】
編集処理を終了したとき、ＣＰＵ１３１は、編集用モニタ４１−１および４１−２に、印刷待ち空間７５に移動することを案内するメッセージを表示させる。ユーザは、表示されるメッセージに従って印刷待ち空間７５に移動し、シール取り出し口３１からシール紙が排出されてくるのを待機する。
【０１７１】
その後、処理は図１１のステップＳ５４に進み、以上のようにして編集が入力された合成画像がシール紙１２１に印刷される。すなわち、制御装置９１により、編集が入力された合成画像のデータがプリンタ部１１１に出力され、そのデータに基づいて、シール紙１２１に画像が印刷される。なお、編集処理においては、シール紙１２１の分割数、および、印刷される画像のサイズ（印刷パターン）が選択されており、選択された分割数とサイズに従って印刷が行われる。合成画像が印刷されたシール紙１２１は、シール取り出し口３１から排出される。
【０１７２】
図２４は、画像印刷装置１により印刷され、シール取り出し口３１に排出されたシール紙の例を示す図である。
【０１７３】
図２４に示されるように、シール紙２７１には、ユーザにより設定された分割数（４分割）に従って、文字や図形などの編集（落書き）が施された画像が印刷される。
【０１７４】
なお、図２４の編集画像において、被写体の画像（人物の画像）の周辺に、或いは、被写体の画像に一部重畳して示されている「コノヤロ」、「スゴイ」の文字、およびハート形や星形のスタンプ画像はユーザにより入力された編集画像である。このように、ユーザは、好みの文字や画像を、撮影された画像に対して施すことができる。
【０１７５】
このようなシール紙が、画像印刷装置１を利用したユーザに対して提供される。
【０１７６】
以上においては、一覧表示領域１７１と拡大表示領域１７３が１つの画面（撮影用モニタ１６）に表示されるとしたが、それぞれの領域が、異なる表示部に表示されるようにしてもよい。例えば、図２５に示されるように、画像印刷装置１の面１Ａに撮影用モニタ１６Ａと撮影用モニタ１６Ｂが設けられている場合、一覧表示領域１７１は、撮影用モニタ１６Ａに表示され、そこからカーソル１７２により選択された画像が、撮影用モニタ１６Ｂの拡大表示領域１７３に表示される。
【０１７７】
これにより、一覧表示領域１７１に表示されている個々の画像、および、拡大表示領域１７３に表示されている画像を比較的大きく表示させることができるため、ユーザは、それぞれの画像を、細部にわたって容易に確認することができる。
【０１７８】
また、以上においては、ＣＲＴやＬＣＤからなる撮影用モニタ１６に、一覧表示領域１７１と拡大表示領域１７３が表示されるとしたが、例えば、プロジェクタとスクリーンからなる表示部に、それらの領域が表示され、一覧表示領域１７１に表示されている画像の中から、拡大表示させる画像を選択できるようにしてもよい。
【０１７９】
図１２および図１３に示される撮影処理においては、ユーザは、図５に示される画像印刷装置１の撮影用モニタ１６に提示される案内に従って、撮影装置１２を好みの位置に上下方向に移動させ、撮影することが可能であるとしたが、さらに、画像印刷装置１により提示される、姿勢を連想させる情報としての姿勢連想情報を確認し、それに応じて創造した姿勢をとり、その姿勢をとっている自分自身を撮影することができるようにしてもよい。
【０１８０】
ここで、姿勢連想情報とは、撮影用モニタ１６に表示される情報であり、例えば、姿勢の見本となる静止画像または動画像を姿勢連想情報として表示し、ユーザに、同じ姿勢をとるようにＢＧＭ（Ｂａｃｋ　Ｇｒａｎｄ　Ｍｕｓｉｃ）や音声、画面に表示される文字で案内した後、一定時間後に撮影するようにしてもよいし、或いは、撮影用モニタ１６に単なる文字を姿勢連想情報として表示し、ユーザに姿勢を考えるようＢＧＭや音声、画面に表示される文字（例えば、「ポーズを考えてね！」）により案内した後、一定時間後に撮影するようにしてもよい。
【０１８１】
なお、ユーザに提示される情報はこれらのものに限定されるものではなく、ユーザに撮影姿勢を連想させる情報であれば、どのような情報であってもよい。
【０１８２】
例えば、姿勢連想情報が提示される撮影を行う場合、撮影用モニタ１６には、始めに、希望の姿勢連想情報を複数選択し、それを希望する順番に提示させるようにするか、或いは、画像印刷装置１によりランダムに選択された姿勢連想情報を提示させるようにするかを選択する案内画面が表示されるため、ユーザは、好みに応じて、いずれの方法により、姿勢連想情報が提示されるようにするかを選択することができる。
【０１８３】
このように、撮影用モニタ１６により提示される姿勢連想情報に基づいて、撮影姿勢を創造して撮影を行うことにより、単なる撮影でなく、ユーザが姿勢を創造して撮影するという付加価値を与えることとなり、創造性を発揮して撮影に臨むという撮影環境を提供し、ユーザの満足度を向上させることができる。
【０１８４】
また、姿勢連想情報は、撮影用モニタ１６だけでなく、ＣＣＤ２１の近傍に設けられている画像表示部２２に表示されるようにしても良い。画像表示部２２はＣＣＤ２１の近傍にあり、ユーザの目との間の距離が近いため、このように画像表示部２２にも姿勢連想情報が表示されるようにすることにより、より見やすい形で姿勢連想情報を提示することができる。
【０１８５】
以上においては、ユーザは図１８、図１９に示される画面に対する操作により、写真中のユーザの肌の色を好みの色相のものに変更することができるとしたが、図２３に示される落書き画面（編集画面）においても、その変更した色相情報が引き継がれ、以下のような操作が可能となるようにしても良い。
【０１８６】
例えば、画像と、図１８、図１９に示される画面において変更された色相の情報を予め関連付けておき、ユーザが画像選択部２３２（撮影結果のサムネイル一覧）から選択した画像を編集対象画像表示部２３１に表示させ、編集対象画像に対して落書きを行うとき、編集対象画像表示部２３１と色選択メニュー２３５の間に、例えば、「オークル色」といった色の名称が表示され、さらに、ペンの色を選択するとき、図１８および図１９に示される画面において選択された色相に近い肌色等を選択可能にするようにしてもよい。これにより、ユーザは、変更した肌色に関連した色で、化粧を模擬した落書きを行うことが可能となる。
【０１８７】
また、図２３に示される落書き画面においては、姿勢連想情報に対応する文字情報が、編集対象画像表示部２３１と色選択メニュー２３５の間に、例えば、「ＵＦＯ」、「怪獣」、「水戸黄門」などのようにそれぞれ表示されるようにしてもよい。
【０１８８】
これにより、ユーザは、表示される文字情報を確認することによって、落書き中に、編集対象画像がどのような姿勢で撮影を行ったものであるのかを思い出すことができるので、編集対象画像の被写体の姿勢に対応した、より好ましいペン、スタンプ絵柄を選択することができる。
【０１８９】
さらに、姿勢連想情報に関連して、落書きにおいて選択できるペンの色、ペンの柄、スタンプの色、スタンプの柄を切りかえるようにしてもよい。例えば、「ＵＦＯ」の姿勢連想情報により撮影された画像が編集対象画像とされている場合、ＵＦＯスタンプが選択可能となったり、流れ星を表現するようなペンが使用可能になったり、或いは、「怪獣」の姿勢連想情報により撮影された画像が編集対象画像とされている場合、都市を表す背景が選択可能となったり、戦闘機のスタンプが選択可能となったりするようにしても良い。これにより、ユーザの撮影姿勢に対応した最適なペン、スタンプが使用可能となり、最適な絵柄を編集することが可能となる。
【０１９０】
上述した印刷処理においては、単に、編集が施された画像のみがシール紙に印刷されるとしたが、印刷されるそれぞれの画像の間に、姿勢連想情報（「お題」）に対応する文字が印刷されるようにしてもよい。また、姿勢連想情報に対応する文字は、画像の間だけでなく、シール紙の印刷面領域のうち、画像が配置できるだけの寸法を持たない、上端や下端などの余剰領域に対して、画像の配置順序と対応した形で印刷されるようにしてもよい。
【０１９１】
これにより、ユーザは、後日、シール紙を見たとき、それぞれの画像が、どのお題が提示されて撮影されたものであるかを思い出すことができる。また、印刷時のシール紙の余剰領域を有効活用することができる。
【０１９２】
【発明の効果】
本発明によれば、一覧表示されている画像の中から選択された画像を拡大表示させることができる。
【０１９３】
また、本発明によれば、容易に、かつ迅速に、撮影した画像の中から、所定の画像を選択することができる。
【０１９４】
さらに、本発明によれば、拡大表示させた画像を、他の画像と比較することができる。
【図面の簡単な説明】
【図１】従来の画像印刷装置の撮影処理を説明するフローチャートである。
【図２】図１のステップＳ４において表示される画面の例を示す図である。
【図３】従来の画像印刷装置の他の撮影処理を説明するフローチャートである。
【図４】図３のステップＳ２６において表示される画面の例を示す図である。
【図５】本発明を適用した画像印刷装置の外観の例を示す斜視図である。
【図６】本発明を適用した画像印刷装置の他の外観の例を示す斜視図である。
【図７】図５の画像印刷装置の配置の例を示す図である。
【図８】図５の画像印刷装置の配置の例を上方から示す図である。
【図９】図５の画像印刷装置の構成例を示すブロック図である。
【図１０】図９の制御装置の構成例を示すブロック図である。
【図１１】画像印刷装置の顧客応対処理を説明するフローチャートである。
【図１２】図１１のステップＳ５２において実行される撮影処理の詳細を説明するフローチャートである。
【図１３】図１１のステップＳ５２において実行される撮影処理の詳細を説明する、図１２に続くフローチャートである。
【図１４】図１２のステップＳ６１において表示される撮影用モニタの表示例を示す図である。
【図１５】図１２のステップＳ６３において表示される撮影用モニタの表示例を示す図である。
【図１６】図１２のステップＳ６６において表示される撮影用モニタの表示例を示す図である。
【図１７】図１６の画面において一覧表示される画像の詳細を示す図である。
【図１８】図１３のステップＳ７２において表示される撮影用モニタの表示例を示す図である。
【図１９】図１３のステップＳ７５において表示される撮影用モニタの表示例を示す図である。
【図２０】図１９の明るさ調整バーの詳細を示す図である。
【図２１】図１３のステップＳ７５において表示される撮影用モニタの他の表示例を示す図である。
【図２２】図１１のステップＳ５３において実行される編集処理の詳細を説明するフローチャートである。
【図２３】編集用モニタの表示例を示す図である。
【図２４】シール紙の例を示す図である。
【図２５】撮影用モニタの表示例を示す図である。
【符号の説明】
１　画像印刷装置
１２　撮影装置
１６　撮影用モニタ
１７　操作パネル
３１　シール取り出し口
４１−１，４１−２　編集用モニタ
９１　制御装置
９６　シール紙ユニット
【図１】
2004072404.tif 000003
【図２】
2004072404.tif 000004
【図３】
2004072404.tif 000005
【図４】
2004072404.tif 000006
【図５】
2004072404.tif 000007
【図６】
2004072404.tif 000008
【図７】
2004072404.tif 000009
【図８】
2004072404.tif 000010
【図９】
2004072404.tif 000011
【図１０】
2004072404.tif 000012
【図１１】
2004072404.tif 000013
【図１２】
2004072404.tif 000014
【図１３】
2004072404.tif 000015
【図１４】
2004072404.tif 000016
【図１５】
2004072404.tif 000017
【図１６】
2004072404.tif 000018
【図１７】
2004072404.tif 000019
【図１８】
2004072404.tif 000020
【図１９】
2004072404.tif 000021
【図２０】
2004072404.tif 000022
【図２１】
2004072404.tif 000023
【図２２】
2004072404.tif 000024
【図２３】
2004072404.tif 000025
【図２４】
2004072404.tif 000026
【図２５】
2004072404.tif 000027